(57)【要約】      （修正有）【課題】電子ペンを用いた簡便な操作で、ドットパターン用紙に印刷されたアイコンと同一機能を有するアイコンを、コンピュータ装置側で生成及び表示させることが可能なコンピュータ装置を提供する。【解決手段】表示手段３１においては、画像を表示するディスプレイ３１１と、ドットパターンが印刷されたＤＯＬ３１２とが積層されている。アイコン処理手段３５３は、１以上のアイコン及びドットパターンが印刷されたドットパターン用紙２のうち、所定のアイコンに電子ペン１がタップされると、所定アイコンを認識する。その後、アイコン処理手段３５３は、ＤＯＬ３１２に電子ペン１がタップされると、所定アイコンと同一機能を有するアイコンを生成してディスプレイ３１１に表示させる。【選択図】図１
0003169427.tif 000002
【実用新案登録請求の範囲】
【請求項１】
画像を表示するディスプレイと、コード化パターンが印刷されたシートとが積層されている表示手段と、
１以上のアイコン及びコード化パターンが重ねて印刷された書き込み媒体のうち、所定のアイコンに電子ペンが接触されると、前記所定のアイコンを認識し、前記シートに前記電子ペンが接触されると、前記所定のアイコンと同一機能を有するアイコンを生成してディスプレイに表示させるアイコン処理手段と
を備えることを特徴とするコンピュータ装置。
【請求項２】
前記表示手段の前記ディスプレイには、タッチパネルがさらに積層されており、
前記アイコン処理手段は、前記電子ペンに接触された前記所定のアイコンを認識した後、前記タッチパネルに物体が接触又は近接されると、さらに、前記所定のアイコンと同一機能を有する前記アイコンを生成して前記ディスプレイに表示させる
ことを特徴とする請求項１に記載のコンピュータ装置。
【請求項３】
前記書き込み媒体には、さらに、前記１以上のアイコン全体の一括生成を指示するボタンが印刷されており、
前記アイコン処理手段は、前記書き込み媒体の前記ボタンに対して前記電子ペンが接触されると、前記ボタンを認識し、前記シートに前記電子ペンが接触されるか、又は前記表示手段にタッチパネルが積層されている場合に前記タッチパネルに物体が接触又は近接されると、前記１以上のアイコンと同一機能を有する１以上のアイコンの各々を一括生成して前記ディスプレイに表示させる
ことを特徴とする請求項１又は２に記載のコンピュータ装置。
【請求項４】
画像を表示するディスプレイと、タッチパネルとが積層されている表示手段と、
１以上のアイコン及びコード化パターンが重ねて印刷された書き込み媒体のうち、所定のアイコンに電子ペンが接触されると、前記所定のアイコンを認識し、さらに、前記タッチパネルに物体が接触又は近接されると、前記所定のアイコンと同一機能を有するアイコンを生成して前記ディスプレイに表示させるアイコン処理手段と
を備えることを特徴とするコンピュータ装置。
【請求項５】
前記書き込み媒体には、さらに、前記１以上のアイコン全体の一括生成を指示するボタンが印刷されており、
前記アイコン処理手段は、前記書き込み媒体の前記ボタンに対して前記電子ペンが接触されると、前記ボタンを認識し、前記タッチパネルに物体が接触又は近接されると、前記１以上のアイコンと同一機能を有する１以上のアイコンの各々を一括生成して前記ディスプレイに表示させる
ことを特徴とする請求項４に記載のコンピュータ装置。
【考案の詳細な説明】
【技術分野】
【０００１】
本考案は、電子ペンによりストロークを描画するシステムにおいて、電子ペンを用いた簡便な操作でアイコンを生成することが可能なコンピュータ装置に関する。
【背景技術】
【０００２】
記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙と共に使用される。アノトペンは、ペン先部に、文字等を書くための通常のインクカートリッジに加えて、ドットパターン用紙に印刷されたドットパターンを撮像するための小型カメラと、撮像したドットパターンから専用用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像等の記入情報が認識される。そして、この記入情報が、データ通信ユニットによりアノトペンから近くのコンピュータ装置等に送信される（例えば、特許文献１参照）。
【０００３】
また、コンピュータ装置が、紙媒体に印刷されたアイコン、即ちペーパーアイコンをスキャナで読み込んで、当該ペーパーアイコンの機能を割り当てたアイコンを登録する技術が、特許文献２に開示されている。
【先行技術文献】
【特許文献】
【０００４】
【特許文献１】特許第３８７２４９８号公報
【特許文献２】特許第３９５６０２６号公報
【考案の概要】
【考案が解決しようとする課題】
【０００５】
しかしながら、特許文献２に開示の技術では、ユーザは、機能が定められていないアイコンがディスプレイに予め表示された状態で、ペーパーアイコンの機能を割り当てるための特定のアイコンをディスプレイ上で指定する必要がある。従って、特許文献２に開示の技術を利用するためには、わざわざ、機能が定められていないアイコンをディスプレイに予め表示させなければならないので、ユーザにとって、煩雑で無駄な操作が必要になる。
また、特許文献２に開示の技術では、機能が定められていないアイコンが予めディスプレイ上に表示されていることから、これらのアイコンのうち、機能が割り当てられなかったアイコンがディスプレイ上に残存して表示され続ける場合がある。このような場合、ユーザにとって、誤操作を含む無駄な操作がさらに発生するおそれがある。
このため、電子ペンを用いた簡単な操作でアイコンを生成する手法が要求されているが、当該要求に応えられていない状況である。
【０００６】
本考案は、このような状況に鑑みてなされたものであり、電子ペンを用いた簡便な操作でアイコンを生成することを目的とする。
【課題を解決するための手段】
【０００７】
本考案に係るコンピュータ装置は、画像を表示するディスプレイと、コード化パターンが印刷されたシートとが積層されている表示手段と、１以上のアイコン及びコード化パターンが重ねて印刷された書き込み媒体のうち、所定のアイコンに電子ペンが接触されると、前記所定のアイコンを認識し、前記シートに前記電子ペンが接触されると、前記所定のアイコンと同一機能を有するアイコンを生成してディスプレイに表示させるアイコン処理手段とを備えることを特徴とする。
【０００８】
この構成によれば、ユーザが、書き込み媒体に印刷された所定のアイコンに電子ペンを接触させる操作（例えば後述のタップ）をするだけで、コンピュータ装置によって、所定のアイコンが認識される。その後、ユーザが、ディスプレイに積層されたシートに対して電子ペンを接触させる操作（例えば後述のタップ）をすることで、コンピュータ装置によって、所定のアイコンと同一機能を有するアイコンが生成されてディスプレイに表示される。
このようにして、電子ペンを用いた簡便な操作でアイコンを生成させ、利用することが可能になる。
【０００９】
上記コンピュータ装置において、前記表示手段の前記ディスプレイには、タッチパネルがさらに積層されており、前記アイコン処理手段は、前記電子ペンに接触された前記所定のアイコンを認識した後、前記タッチパネルに物体が接触又は近接されると、さらに、前記所定のアイコンと同一機能を有する前記アイコンを生成して前記ディスプレイに表示させるよう構成するとよい。
【００１０】
この構成によれば、ユーザが、書き込み媒体に印刷された所定のアイコンに電子ペンを接触させる操作（例えば後述のタップ）をするだけで、コンピュータ装置によって、所定のアイコンが認識される。その後、ユーザが、ディスプレイに積層されたタッチパネルに対して、自己の指等の物体を接触又は近接させる操作（後述のタッチ操作）をすることで、コンピュータ装置によって、所定のアイコンと同一機能を有するアイコンが生成されてディスプレイに表示される。
従って、コンピュータ装置のディスプレイに対する操作をするために、電子ペンとそれ以外の物体（例えば自分の指等）とを選択的かつ自在に用いることができるようになるので、ユーザにとっては、より簡便な操作でアイコンを生成し利用することが可能になる。
【００１１】
上記コンピュータ装置において、前記書き込み媒体には、さらに、前記１以上のアイコン全体の一括生成を指示するボタンが印刷されており、前記アイコン処理手段は、前記書き込み媒体の前記ボタンに対して前記電子ペンが接触されると、前記ボタンを認識し、前記シートに前記電子ペンが接触されるか、又は前記表示手段にタッチパネルが積層されている場合に前記タッチパネルに物体が接触又は近接されると、前記１以上のアイコンの各々と同一機能を有する１以上のアイコンの各々を一括生成して前記ディスプレイに表示させるよう構成するとよい。
【００１２】
この構成によれば、ユーザが、書き込み媒体に印刷されたボタンに電子ペンを接触させる操作（例えば後述のタップ）をするだけで、コンピュータ装置によって、ボタンが認識される。その後、ユーザが、ディスプレイに積層されたシートに対して電子ペンを接触させる操作（例えば後述のタップ）をするか、又は、タッチパネルに対して自己の指等の物体を接触又は近接させる操作（後述のタッチ操作）をすることで、コンピュータ装置によって、１以上のアイコンの各々と同一機能を有する１以上のアイコンの各々が一括生成されてディスプレイに表示される。
従って、ユーザは、１以上のアイコンの各々を選択するといった煩雑な操作をしなくとも、１つのボタンのみを選択するといった簡便の操作をするだけで、１以上のアイコンと同一機能を有する１以上のアイコンの各々を一括生成することが可能になる。
【００１３】
また、本考案に係るコンピュータ装置は、画像を表示するディスプレイと、タッチパネルとが積層されている表示手段と、１以上のアイコン及びコード化パターンが重ねて印刷された書き込み媒体のうち、所定のアイコンに電子ペンが接触されると、前記所定のアイコンを認識し、さらに、前記タッチパネルに物体が接触又は近接されると、前記所定のアイコンと同一機能を有するアイコンを生成して前記ディスプレイに表示させるアイコン処理手段と、を備えることを特徴とする。
【００１４】
この構成によれば、ユーザが、書き込み媒体に印刷された所定のアイコンに電子ペンを接触させる操作（例えば後述のタップ）をするだけで、コンピュータ装置によって、所定のアイコンが認識される。その後、ユーザが、ディスプレイに積層されたタッチパネルに対して、自己の指等の物体を接触又は近接させる操作（後述のタッチ操作）をすることで、コンピュータ装置によって、所定のアイコンと同一機能を有するアイコンが生成されてディスプレイに表示される。
従って、コンピュータ装置のディスプレイに対する操作をするために、電子ペンとそれ以外の物体（例えば自分の指等）とを用いることで、簡単にアイコンを生成させ、利用することが可能になる。
【００１５】
上記コンピュータ装置において、前記書き込み媒体には、さらに、前記１以上のアイコン全体の一括生成を指示するボタンが印刷されており、前記アイコン処理手段は、前記書き込み媒体の前記ボタンに対して前記電子ペンが接触されると、前記ボタンを認識し、前記タッチパネルに物体が接触又は近接されると、前記１以上のアイコンと同一機能を有する１以上のアイコンの各々を一括生成して前記ディスプレイに表示させるよう構成するとよい。
【００１６】
この構成によれば、ユーザが、書き込み媒体に印刷されたボタンに電子ペンを接触させる操作（例えば後述のタップ）をするだけで、コンピュータ装置によって、ボタンが認識される。その後、ユーザが、タッチパネルに対して自己の指等の物体を接触又は近接させる操作（後述のタッチ操作）をすることで、コンピュータ装置によって、１以上のアイコンの各々と同一機能を有する１以上のアイコンの各々が一括生成されてディスプレイに表示される。
従って、ユーザは、１以上のアイコンの各々を選択するといった煩雑な操作をしなくとも、１つのボタンのみを選択するといった簡便の操作をするだけで、１以上のアイコンと同一機能を有する１以上のアイコンの各々を一括生成することが可能になる。
【考案の効果】
【００１７】
本考案によれば、電子ペンを用いた簡便な操作で、アイコンを生成することが可能となる。
【図面の簡単な説明】
【００１８】
【図１】本考案の第１実施形態に係るアイコン生成システムのシステム構成図である。
【図２】本考案の第１実施形態に係るコンピュータ装置の表示手段の横断面を示す図である。
【図３】ドットパターンにおけるドットの配置と変換される値との関係を示す説明図である。
【図４】（Ａ）は、ドットパターンを模式的に示し、（Ｂ）は、それに対応する情報の例を示す図である。
【図５】電子ペンの構造を示す概略図である。
【図６】本考案の第１実施形態に係るコンピュータ装置の処理手段の処理結果の具体例を示す図である。
【図７】本考案の第１実施形態に係るコンピュータ装置の処理手段の処理結果の具体例を示す図である。
【図８】本考案の第１実施形態に係るコンピュータ装置の処理手段の処理結果の具体例を示す図である。
【図９】本考案の第１実施形態に係るコンピュータ装置の処理手段の処理結果の具体例を示す図である。
【図１０】本考案の第１実施形態に係るコンピュータ装置の表示処理の流れを示すフローチャートである。
【図１１】本考案の第１実施形態の変形例に係るコンピュータ装置の処理手段の処理結果の具体例を示す図である。
【図１２】本考案の第１実施形態の変形例に係るコンピュータ装置の処理手段の処理結果の具体例を示す図である。
【図１３】本考案の第２実施形態に係るアイコン生成システムのシステム構成図である。
【図１４】本考案の第２実施形態に係るコンピュータ装置の表示手段及びタッチパネルの横断面を示す図である。
【図１５】本考案の第２実施形態に係るコンピュータ装置の処理手段の処理結果の具体例を示す図である。
【図１６】本考案の第２実施形態に係るコンピュータ装置の処理手段の処理結果の具体例を示す図である。
【図１７】本考案の第２実施形態に係るコンピュータ装置の表示処理の流れを示すフローチャートである。
【図１８】本考案の第２実施形態に係るコンピュータ装置の表示処理の流れを示すフローチャートである。
【図１９】本考案の第２実施形態の変形例に係るコンピュータ装置の処理手段の処理結果の具体例を示す図である。
【考案を実施するための形態】
【００１９】
以下、図面を参照しながら、本考案のアイコン生成システムの実施形態について説明する。
【００２０】
〔第１実施形態のアイコン生成システムの構成〕
図１は、本考案の第１実施形態に係るアイコン生成システム１０の構成を示す。アイコン生成システム１０は、例えば、ユーザが参加するチャットや会議等で利用することができる。図１に示すように、第１実施形態に係るアイコン生成システム１０は、電子ペン１と、ドットパターン用紙２（コード化パターン用紙２）と、コンピュータ装置３とを有する。
【００２１】
ユーザは、電子ペン１を用いて、コンピュータ装置３の表示手段３１の一構成要素であるドットオーバーレイ３１２（ドットパターンが印刷された透明シートであり、以下、「ＤＯＬ３１２」と呼ぶ）に対して、アイコンをタップ、ドラッグしたり、手書きのストロークを記入することができる。電子ペン１からの記入情報は、Ｂｌｕｅｔｏｏｔｈ（登録商標）により、コンピュータ装置３に無線送信される。
【００２２】
また、ユーザは、電子ペン１を用いて、ドットパターン用紙２に対して手書きのストロークを記入することができる。具体的には、ドットパターン用紙２には記入領域２１とアイコン領域２２とが設けられており、ユーザは、電子ペン１を用いて、記入領域２１に対して手書きのストロークを記入することができる。この場合も、電子ペン１からの記入情報は、Ｂｌｕｅｔｏｏｔｈ（登録商標）により、コンピュータ装置３に無線送信される。
【００２３】
コンピュータ装置３は、パーソナルコンピュータ（Ｐｅｒｓｏｎａｌ  ｃｏｍｐｕｔｅｒ）等で構成されており、電子ペン１からの記入情報を受信して、ドットパターン用紙２又はＤＯＬ３１２に記入されたストロークの内容を示す画像をディスプレイ３１１に表示させる。
【００２４】
さらに、ユーザは、ドットパターン用紙２のアイコン領域２２に印刷された複数のアイコンのうち、所定のアイコンを電子ペン１でタップ（ペン先での軽叩）した後、ＤＯＬ３１２を電子ペン１でタップすることができる。
この場合、コンピュータ装置３は、ドットパターン用紙２の所定のアイコンに対するタップに起因して電子ペン１から送信されてきた記入情報、及びＤＯＬ３１２に対するタップに起因して電子ペン１から送信されてきた記入情報をそれぞれ受信すると、当該所定のアイコンと同一機能を有するアイコンを生成してディスプレイ３１１のＤＯＬ３１２上でタップされた位置等に表示させる。
【００２５】
なお、図１の下部には、コンピュータ装置３の機能ブロック図が示されているが、当該機能ブロック図の説明については後述する。
【００２６】
図２は、第１実施形態に係るコンピュータ装置３における表示手段３１の横断面を示す図である。
図２に示すように、ディスプレイ３１１及びＤＯＬ３１２が下方から順に配置されることで、表示手段３１が構成される。即ち、ＤＯＬ３１２は、ディスプレイ３１１の上（より正確にはディスプレイパネルの上）に積層されている。
ＤＯＬ３１２は、下方から順に、基材フィルム３１２１と、ドットパターン３１２２と、保護層３１２３とを有している。
ドットパターン３１２２は、ＰＥＴ（ＰｏｌｙＥｔｈｙｌｅｎｅ  Ｔｅｒｅｐｈｔｈａｌａｔｅ）等の透明な基材フィルム３１２１の上に印刷され、電子ペン１で読み取ることができるように、赤外線を反射する素材（例えば、酸化チタン、コレステリック液晶、赤外線反射性顔料）を含有している。
なお、ドットパターン３１２２と基材フィルム３１２１の間、或いは、基材フィルム３１２１とディスプレイ３１１との間に、図示せぬ赤外線反射層を積層することにより、ドットパターン３１２２は、赤外線を吸収する素材を含有するようにしてもよい。
ドットパターン３１２２が重畳して印刷されている基材フィルム３１２１の上には、ＥＢ（Ｅｌｅｃｔｒｏｎ  Ｂｅａｍ：電子線）硬化樹脂により形成されたＥＢ硬化インキ層である保護層３１２３が積層されている。保護層３１２３は、基材フィルム３１２１の上に印刷されたドットパターン３１２２を電子ペン１による摩擦から保護し、ＤＯＬ３１２の経年使用による劣化を防止する。
【００２７】
また、図示はしないが、ドットパターン用紙２（図１参照）にも、アノト方式のドットパターンが全面に重畳して印刷されている。ただし、ドットパターン用紙２のドットパターン以外の部分（紙媒体の部分）は赤外線を反射するため、ドットパターンは、赤外線を吸収する素材（例えば、カーボン）を含有している。
【００２８】
［ドットパターン］
続いて、ＤＯＬ３１２やドットパターン用紙２に形成されるアノト方式のドットパターン（コード化パターン）について説明する。
図３は、ドットパターンのドットと、そのドットが変換される値との関係を説明する図である。
図３に示すように、ドットパターンの各ドットは、その位置によって所定の値に対応付けられている。即ち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、ドットパターン用紙２やＤＯＬ３１２の位置座標が決定されるよう構成されている。
【００２９】
図４（Ａ）は、あるドットパターンの配列を示している。図４（Ａ）に示すように、縦横約２ｍｍの範囲内に６×６個のドットが、ドットパターン用紙２やＤＯＬ３１２のどの部分から６×６ドットを取ってもユニークなパターンとなるように配置されている。これら３６個のドットにより形成されるドットパターンは位置座標（例えば、そのドットパターンがドットパターン用紙２やＤＯＬ３１２においてどの位置にあるのか）を保持している。図４（Ｂ）は、図４（Ａ）に示す各ドットを、格子の基準位置からのシフト方向によって、図３に示す規則性に基づいて対応付けられた値に変換したものである。この変換は、ドットパターンを撮影する電子ペン１によって行われる。
なお、ドットパターン用紙２とＤＯＬ３１２とは異なる座標範囲のドットパターンが印刷されている。
【００３０】
［電子ペン］
次に電子ペン１について説明する。
図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３をドットパターン用紙２上に当接させて、文字等の手書きのストロークを記入したり、タップ（ペン先部１０３によるドットパターン用紙２やＤＯＬ３１２への軽叩）したりする。ここで、電子ペン１のペン先部１０３がドットパターン用紙２やＤＯＬ３１２に最初に接触することをペンダウンと呼び、電子ペン１のペン先部１０３が接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
また、電子ペン１をペンダウンすることでペン先部１０３からドットパターン用紙２上に流出するインクにより、ストロークと略同一軌道の軌跡がドットパターン用紙２上に書き込まれる。
なお、インクカートリッジ１０４のインクは、ＤＯＬ３１２の表面に撥水性を持たせて、その撥水性によりはじかれたり、ＤＯＬ３１２に記入された後に、布等で拭き取ることができるインクであるのが望ましい。
【００３１】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ：記入された時刻情報）を示す時刻情報を発信し、プロセッサ１０８に供給する。圧力センサ１０７は、ユーザが電子ペン１によりドットパターン用紙２に文字やマークを書いたりタップしたりする際にペン先部１０３からインクカートリッジ１０４を通じて与えられる圧力、即ち筆圧を検出し、その値をプロセッサ１０８へ伝送する。
【００３２】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１でドットパターン用紙２やＤＯＬ３１２に文字等を書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述するペンＩＤとを関連付けて、記入情報としてコンピュータ装置３へ送信する。また、ユーザが１つのストロークを記入し終えて電子ペン１をドットパターン用紙２ないしＤＯＬ３１２から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置３へ送信する。
【００３３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、ドットパターン用紙２上のペン先部１０３近傍に向けて赤外線を照明する。その領域は、ペン先部１０３がドットパターン用紙２に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。
ここで、ドットパターンが赤外線を吸収する素材を含有している場合、ドットの部分は、ＬＥＤ１０５から照明された赤外線の反射量が比較的少なくなり、ドット以外の部分は当該赤外線の反射量が比較的多くなる。これに対して、ドットパターンが赤外線を反射する素材を含有している場合、ドットの部分は、ＬＥＤ１０５から照明された赤外線の反射量が比較的多くなり、ドット以外の部分は当該赤外線の反射量が比較的少なくなる。
何れにしても、ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図４（Ａ）に示すような約２ｍｍ×約２ｍｍの大きさを含む範囲であり、ＣＭＯＳカメラ１０６の撮影は毎秒５０〜１００回程度の定間隔で行われる。
【００３４】
プロセッサ１０８は、ユーザの記入が行われる間、ＣＭＯＳカメラ１０６によって供給される画像データのドットパターンから、ユーザが記入するストローク（筆跡）のドットパターン用紙２やＤＯＬ３１２におけるＸ，Ｙ座標（単に「位置座標」、「座標情報」とも呼ぶ）を連続的に演算していく。即ち、プロセッサ１０８は、ＣＭＯＳカメラ１０６によって供給される、図４（Ａ）に示されるようなドットパターンの画像データを図４（Ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因するドットの画像上の配列を補正する回転補正処理機能を備えており、位置座標を演算する際に用いられる。そして、プロセッサ１０８は、リアルタイムクロック１１０から発信される現在時刻（タイムスタンプ）、筆圧データ及びＸ，Ｙ座標データを関連付ける。以後、これらの関連付けたデータを、まとめて「座標属性情報」と呼ぶ。なお、ドットパターン用紙２における６×６のドットパターンは、ドットパターン用紙２やＤＯＬ３１２内で重複することはないため、ユーザが電子ペン１で文字等を記入すると、記入された位置がドットパターン用紙２やＤＯＬ３１２のどの位置に当たるかを、プロセッサ１０８による座標演算により特定することができる。また、ＣＭＯＳカメラ１０６は、ドットを鮮明に撮影するため、十分な被写界深度を有している。
【００３５】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、座標属性情報（時刻情報と、筆圧データと、Ｘ，Ｙ座標データ）とを関連付けて、記入情報としてコンピュータ装置３へ送信する。通信ユニット１１１によるコンピュータ装置３への送信は、Ｂｌｕｅｔｏｏｔｈ（登録商標）等の無線送信によって、即時的かつ逐次的に行われる。ここで、電子ペン１のペンダウンからペンアップまでの間に生成されてコンピュータ装置３に送信された１個又は複数個の記入情報（座標属性情報）は、コンピュータ装置３によりストローク情報として記憶される。換言すると、１つのストロークは、１個又は複数個のＸ，Ｙ座標（座標点）に基づいて描画されるため、コンピュータ装置３は、ペンダウン情報及びペンアップ情報によって、１つのストロークを描画するために必要な１個又は複数個の座標属性情報を認識する。このように、ユーザによる１つのストロークの記入により、電子ペン１によって生成される座標属性情報の集合を「ストローク情報」と呼ぶ。また、ペン先部１０３は、筆圧をインクカートリッジ１０４を介して圧力センサ１０７に伝達する。
【００３６】
［コンピュータ装置］
次に、コンピュータ装置３について説明する。コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等を含むパーソナルコンピュータ等で構成される。図１に示すように、コンピュータ装置３は、機能的には、表示手段３１、入力手段３２、記憶手段３３、受信手段３４、及び処理手段３５を備える。そして、コンピュータ装置３は、電子ペン１から受信した記入情報に基づいて所定の処理を実行する。
【００３７】
表示手段３１は、図２を参照して説明したように、ディスプレイ３１１とＤＯＬ３１２とを含むように構成され、処理手段３５によって指示された内容を画像としてディスプレイ３１１に表示させる。
【００３８】
入力手段３２は、マウスやキーボード等により構成され、ユーザの操作に応じた各種情報を入力し、処理手段３５に供給する。
記憶手段３３は、ハードディスクやＲＯＭ、ＲＡＭといったメモリによって構成される。記憶手段３３は、処理手段３５の処理命令により、電子ペン１から受信した記入情報をペンＩＤ毎に記憶する他、生成したアイコンの画像データ等各種のデータを記憶する。
受信手段３４は、アンテナ送受信回路等により構成され、電子ペン１から記入情報等を受信し、処理手段３５に伝送する。なお、電子ペン１とのデータ通信方式は、有線及び無線を含めて様々な手法が利用可能であるが、本実施形態ではＢｌｕｅｔｏｏｔｈ（登録商標）を用いる通信方式が採用されている。
【００３９】
処理手段３５は、表示手段３１〜受信手段３４を制御して各種情報を授受することで、各種の処理を実行する。図１に示すように、処理手段３５は、主に、座標変換手段３５１、ストローク描画手段３５２、アイコン処理手段３５３、及びアイコン指示処理実行手段３５４により構成される。
以下、図６〜図９の具体例を適宜参照しつつ、処理手段３５についてさらに詳しく説明する。図６〜図９の各々は、コンピュータ装置３の処理手段３５の各種処理結果の具体例をそれぞれ示す図である。
【００４０】
先ず、ユーザが、図６（Ａ）に示すように、ドットパターン用紙２の記入領域２１に対して、電子ペン１で「ランチどうする？」というストロークの集合体を記入したものとする。
ドットパターン用紙２に対して電子ペン１で１つのストロークが記入されるまでの間、即ち電子ペン１によるペンダウンからペンアップまでの間、所定時間毎に記入情報が電子ペン１から逐次送信される。このような、所定時間毎になされる電子ペン１からの記入情報の逐次送信は、各ストロークについてそれぞれ行われる。
受信手段３４は、このような記入情報が送信されてくる毎に、当該記入情報を受信して処理手段３５に供給する。
【００４１】
処理手段３５の座標変換手段３５１は、受信手段３４から記入情報が供給されてくる毎に、当該記入情報の座標属性情報により示される位置座標を、ディスプレイ３１１の座標系における位置座標に変換する。
なお、ユーザは、ドットパターン用紙２の他、ＤＯＬ３１２に対しても電子ペン１を用いて手書きのストロークを記入することができる。ここで、ドットパターン用紙２やＤＯＬ３１２の座標系と、ディスプレイ３１１の座標系は異なっている。また、ドットパターン用紙２とＤＯＬ３１２とには、異なる座標範囲のドットパターンが形成されており、ドットパターン用紙２とＤＯＬ３１２のどの位置を電子ペン１で撮像しても、ユニークなドットパターンが撮像される。
そこで、処理手段３５は、記入情報が供給されると先ず、当該記入情報が示す位置座標はドットパターン用紙２とＤＯＬ３１２とのうち何れのものであるかを認識する。
次に、処理手段３５の座標変換手段３５１は、ドットパターン用紙２又はＤＯＬ３１２における位置座標を、予め用意された関数やテーブル等を用いて、ディスプレイ３１１の座標系における位置座標に変換する。
【００４２】
ストローク描画手段３５２は、座標変換手段３５１によってディスプレイ３１１の座標系に変換された後の位置座標を、例えばストローク情報の単位で用いることによって、ストロークを描画する。そして、ストローク描画手段３５２は、当該ストロークを表示手段３１のディスプレイ３１１に表示させる。
このようなストローク描画手段３５２の処理が各ストローク毎に実行されると、図６（Ｂ）に示すように、表示手段３１のディスプレイ３１１における記入表示領域３１１１には、「ランチどうする？」というストロークの集合体、即ち図６（Ａ）の手書きのものに対応するストロークの集合体が表示される。
具体的には、ディスプレイ３１１のうち記入表示領域３１１１に、「ランチどうする？」が表示される。即ち、ディスプレイ３１１の記入表示領域３１１１は、ドットパターン用紙２の記入領域２１と対応しており、当該記入領域２１に電子ペン１で記入された内容が表示される。ただし、記入表示領域３１１１には、「ランチどうする？」というストロークの集合体により表わされる画像（図６（Ａ）の手書きの状態がそのまま再現された画像）が表示されてもよいし、文字認識処理によりテキストに変換された後の「ランチどうする？」という文字列が画像として表示されてもよい。
なお、表示手段３１におけるディスプレイ３１１のうちアイコン表示領域３１１２については後述する。
【００４３】
ここで、ドットパターン用紙２に設けられているアイコン領域２２について説明する。
アイコン領域２２には、複数の種類のアイコンが印刷されている。図６（Ａ）等の例では、左方から順に、「プレゼンテーションモード」、「拡大（＋）」、「縮小（−）」、「ペン（左）」、「マーカー（右）」、「線のサイズ（極細、細、中、太、極太）」、「色（赤、青、黄、黒）」、「消しゴム」、「前ページ（←）」、「次ページ（→）」、及び「自動用紙送り停止」といった各種機能が割り当てられたアイコンが印刷されている。即ち、アイコン領域２２には、いわゆるペーパーアイコンが複数個配置される。
ユーザは、図７（Ａ）に示すように、アイコン領域２２に印刷された複数のアイコンのうち所望のアイコンを、電子ペン１でタップすることにより、当該アイコンを選択することができる。
図１のアイコン処理手段３５３は、アイコンがタップされた際に電子ペン１から送信されて受信手段３４に受信された記入情報に基づいて、当該アイコンを認識する。
アイコン指示処理実行手段３５４は、アイコン処理手段３５３により認識されたアイコンが指示する処理を実行する。ここで、アイコンが指示する処理とは、アイコンに割り当てられている機能を発揮させる処理をいう。
図７（Ａ）の例では、「拡大（＋）」の機能が割り当てられたアイコンが電子ペン１でタップされているので、当該アイコンがアイコン処理手段３５３により認識されると、アイコン指示処理実行手段３５４は、アイコンが指示する処理として、ディスプレイ３１１のうち記入表示領域３１１１の内容を拡大表示させる処理を実行する。これにより、記入表示領域３１１１においては、図６（Ｂ）に示す「ランチどうする？」という内容のうち、図７（Ｂ）に示す「ランチどうす」という部分が拡大されて表示される。
なお、ドットパターン用紙２の「拡大（＋）」アイコンを電子ペン１でタップし、さらに、記入表示領域３１１１上のＤＯＬ３１２をタップすることで、座標変換手段３５１により求められたディスプレイ上の対応位置を中心に拡大するようにしてもよい。
【００４４】
さらに、ユーザは、ドットパターン用紙２上の所定のアイコンを電子ペン１でタップした後さらに、図８に示すように、ディスプレイ３１１のアイコン表示領域３１１２内における任意の位置を電子ペン１でタップすることができる。より正確には、ユーザは、アイコン表示領域３１１２の上層にあるＤＯＬ３１２の領域内における任意の位置を電子ペン１でタップすることができる。これにより、当該所定のアイコンと同一機能を有するアイコン（図８の例ではアイコン５１）が、コンピュータ装置３内で生成されて、ディスプレイ３１１のアイコン表示領域３１１２に表示される（図中、二点鎖線の矢印は、電子ペン１のペン先部１０３が移動する様子を示す）。
具体的には、処理手段３５は、ＤＯＬ３１２に対してタップされた際に供給された記入情報が示す位置座標は、ＤＯＬ３１２のものであると認識する。
次に、処理手段３５の座標変換手段３５１は、ＤＯＬ３１２の位置座標を、ディスプレイ３１１の座標系における位置座標に変換する。
アイコン処理手段３５３は、座標変換手段３５１によりディスプレイ３１１の座標系に変換された位置座標がアイコン表示領域３１１２に属することを確認すると、先に認識したアイコンと同一機能を有するアイコン、図８の例では「拡大（＋）」の機能を有するアイコン５１を生成して、ディスプレイ３１１のアイコン表示領域３１１２内に表示させる。
この場合、アイコン５１の表示位置は、アイコン表示領域３１１２内であれば足りるが、図８に示すように、電子ペン１によってタップされたＤＯＬ３１２の位置に対応するディスプレイ３１１の位置座標であると好適である。ユーザにとっては、電子ペン１でタップした位置に、あたかもアイコン５１が表れたように映るからである。
【００４５】
さらに、ディスプレイ３１１のアイコン表示領域３１１２内にアイコン５１が表示された後に、ユーザは、図９に示すように、電子ペン１でアイコン５１をドラッグすることで、当該アイコン５１をアイコン表示領域３１１２内で自在に移動させることができる（図中、二点鎖線の矢印は、アイコン５１が移動する様子を示す）。
具体的には、処理手段３５は、ドラッグされている最中に逐次供給される記入情報が示す各位置座標は、ＤＯＬ３１２のものであると認識する。
次に、処理手段３５の座標変換手段３５１は、ＤＯＬ３１２の各位置座標を、ディスプレイ３１１の座標系における各位置座標に変換する。
アイコン処理手段３５３は、座標変換手段３５１によりディスプレイ３１１の座標系に変換された各位置座標がアイコン表示領域３１１２に属することを確認すると、先に表示したアイコン、図８の例ではアイコン５１を、ディスプレイ３１１のアイコン表示領域３１１２内で移動させるように表示内容を更新していく。
【００４６】
［第１実施形態の表示処理フロー］
以上図６〜図９の具体例を用いて説明した処理手段３５による一連の処理を、以下、「表示処理」と呼ぶ。そこで次に、図１０を参照して、コンピュータ装置３の処理手段３５による表示処理の流れについて説明する。
【００４７】
初めに、ユーザが、ドットパターン用紙２又はＤＯＬ３１２に対して電子ペン１で手書きのストロークを記入等すると、電子ペン１は、生成した記入情報をコンピュータ装置３へ送信する。具体的には、電子ペン１は、ペンダウン時には、ペンダウン情報及びペンＩＤを関連付けた記入情報を生成して、生成した記入情報をコンピュータ装置３へ送信する。電子ペン１は、ストロークの記入等により電子ペン１のドットパターン用紙２又はＤＯＬ３１２への当接状態が継続すると、ドットパターンを撮像して演算した座標情報を含む座標属性情報と、ペンＩＤとを関連付けた記入情報を連続的に生成して、コンピュータ装置３へ逐次送信する。電子ペン１は、ペンアップ時には、ペンアップ情報及びペンＩＤを関連付けた記入情報を生成してコンピュータ装置３へ送信する。
【００４８】
コンピュータ装置３では、受信手段３４が、電子ペン１との通信可能状態となったことを契機として１回目の表示処理が開始され、それ以降、記入情報が電子ペン１から送信されてくる毎に表示処理が繰り返し実行される。
処理手段３５は、電子ペン１から送信された記入情報を、受信手段３４に受信させて、記憶手段３３に記憶させる（ステップＳ１）。
【００４９】
次に、処理手段３５は、ステップＳ１の処理で受信された記入情報が示す位置座標は、ＤＯＬ３１２のものであるのか、或いはドットパターン用紙２のものであるのかを判断する（ステップＳ２）。
記入情報が示す位置座標はＤＯＬ３１２のものであると判断された場合（ステップＳ２：ＤＯＬ）には、処理はステップＳ８に進む。ただし、ステップＳ８以降の処理は後述する。
これに対して、記入情報が示す位置座標はドットパターン用紙２のものであると判断された場合（ステップＳ２：用紙）、処理はステップＳ３に進む。
【００５０】
処理手段３５は、ステップＳ１の処理で受信された記入情報が示す位置座標は、ドットパターン用紙２のうち、記入領域２１のものであるのか、アイコン領域２２のものであるのか、或いはその他の領域のものであるのかを判断する（ステップＳ３）。
【００５１】
ステップＳ１の処理で受信された記入情報が示す位置座標は、ドットパターン用紙２の記入領域２１のものであると判断された場合（ステップＳ３：記入領域）には、処理はステップＳ４に進む。
座標変換手段３５１は、ステップＳ１の処理で受信された記入情報から座標属性情報を取得し、当該座標属性情報内のＸ，Ｙ座標データにより示される位置座標を、ディスプレイ３１１の座標系における位置座標に変換する（ステップＳ４）。ここで、ステップＳ１の処理で受信された記入情報により示される位置座標は、ドットパターン用紙２の位置座標である。従って、ステップＳ４において実行される座標変換は、ドットパターン用紙２の位置座標からディスプレイ３１１の座標系における位置座標への座標変換であり、以下、図１０の記載にあわせ、「第１の座標変換」と呼ぶ。
ストローク描画手段３５２は、ステップＳ４における第１の座標変換後の位置座標に基づいて、ストロークを描画して、当該ストロークを表示手段３１のディスプレイ３１１に表示させる（ステップＳ５）。
なお、ステップＳ５に限らず後述のステップＳ１０等におけるストロークの描画処理は、表示処理が実行される毎に、即ち記入情報が供給される毎に実行されてもよいし、連続する複数回の表示処理のうちの何回かのみにおいて実行されてもよい。例えば、ストロークの描画処理は、ストローク情報が生成されるまでの間は実行が禁止され、ストローク情報が生成された段階で実行されてもよい。
ステップＳ５のストロークの描画処理が実行されると、表示処理は終了になる。
【００５２】
以上の一連の処理、即ち、ステップＳ１の処理で受信された記入情報が示す位置座標は、ドットパターン用紙２の記入領域２１のものであると判断された（ステップＳ３：記入領域）後の処理における結果の具体例は、上述した図６に示されている。
【００５３】
一方で、ステップＳ１の処理で受信された記入情報が示す位置座標は、ドットパターン用紙２のアイコン領域２２のものであると判断された場合（ステップＳ３：アイコン領域）には、処理はステップＳ６に進む。
アイコン処理手段３５３は、ステップＳ１の処理で受信された記入情報に基づいて、アイコンを認識する（ステップＳ６）。アイコン指示処理実行手段３５４は、ステップＳ６の処理で認識されたアイコンが指示する処理を実行する（ステップＳ７）。これにより、表示処理は終了になる。
【００５４】
以上の一連の処理、即ち、ステップＳ１の処理で受信された記入情報が示す位置座標は、ドットパターン用紙２のアイコン領域２２のものであると判断された（ステップＳ３：アイコン領域）後の処理の結果における具体例は、上述した図７に示されている。
なお、ステップＳ１の処理で受信された記入情報が示す位置座標は、ドットパターン用紙２のうちその他のものであると判断された場合（ステップＳ３：その他の領域）には、表示処理は終了になる。
【００５５】
以上、ステップＳ１の処理で受信された記入情報が示す位置座標は、ドットパターン用紙２のものであると判断された（ステップＳ２：用紙）後の一連の処理について説明した。
次に、ステップＳ１の処理で受信された記入情報が示す位置座標は、ＤＯＬ３１２のものであると判断された（ステップＳ２：ＤＯＬ）後の一連の処理について説明する。
【００５６】
座標変換手段３５１は、ステップＳ１の処理で受信された記入情報から座標属性情報を取得し、当該座標属性情報内のＸ，Ｙ座標データにより示される位置座標を、ディスプレイ３１１の座標系における位置座標に変換する（ステップＳ８）。ここで、ステップＳ１の処理で受信された記入情報により示される位置座標は、ＤＯＬ３１２の位置座標である。従って、ステップＳ８において実行される座標変換は、ステップＳ４の第１の座標変換とは異なり、ＤＯＬ３１２の位置座標からディスプレイ３１１の座標系における位置座標への座標変換であり、以下、図１０の記載にあわせ、「第２の座標変換」と呼ぶ。
【００５７】
次に、処理手段３５は、ステップＳ１の処理で受信された記入情報が示す位置座標（ステップＳ８の第２の座標変換がなされた後の位置座標）は、ディスプレイ３１１のうち、記入表示領域３１１１であるのか、或いはアイコン表示領域３１１２であるのかを判断する（ステップＳ９）。
【００５８】
ステップＳ１の処理で受信された記入情報が示す位置座標（ステップＳ８における第２の座標変換の位置座標）は、ディスプレイ３１１の記入表示領域３１１１のものであると判断された場合（ステップＳ９：記入）には、処理はステップＳ１０に進む。
ストローク描画手段３５２は、ステップＳ８における第２の座標変換後の位置座標に基づいてストロークを描画して、当該ストロークをディスプレイ３１１に表示させる（ステップＳ１０）。これにより、表示処理は終了になる。
【００５９】
これに対して、ステップＳ１の処理で受信された記入情報が示す位置座標（ステップＳ８における第２の座標変換の位置座標）は、ディスプレイ３１１のアイコン表示領域３１１２のものであると判断された場合（ステップＳ９：アイコン）には、処理はステップＳ１１に進む。
処理手段３５は、ステップＳ１の処理で受信された記入情報に対して直前の記入情報（直前のストロークの記入情報）が示す位置座標は、ドットパターン用紙２のアイコンのものであるか否かを判断する（ステップＳ１１）。
【００６０】
直前の記入情報が示す位置座標はドットパターン用紙２のアイコンのものであると判断された場合（ステップＳ１１：ＹＥＳ）、アイコン処理手段３５３は、既に同じアイコンを生成表示したか否かを判断する（ステップＳ１２）。
アイコン処理手段３５３が既に同じアイコンを生成表示したと判断した場合（ステップＳ１２：ＹＥＳ）、表示処理は終了になる。
これに対して、アイコン処理手段３５３は、未だ同じアイコンを生成表示していないと判断した場合（ステップＳ１２：ＮＯ）、当該アイコンを生成して、ディスプレイ３１１のアイコン表示領域３１１２に表示させる（ステップＳ１３）。この場合の処理における結果の具体例は、図８に示されているが、アイコン処理手段３５３は、アイコン表示領域３１１２内の電子ペン１で指示された位置に、アイコンを表示させるようにするとよい。さらには、電子ペン１が、アイコン表示領域３１１２内で続けてドラッグ状態である場合には、アイコン処理手段３５３は、アイコンをドラッグに合わせて移動させるようにするとよい。
ステップＳ１３の処理が終了すると、表示処理は終了となる。
【００６１】
一方で、処理手段３５は、直前の記入情報が示す位置座標はドットパターン用紙２のアイコンのものではないと判断した場合（ステップＳ１１：ＮＯ）、当該直前の記入情報が示す位置座標はＤＯＬ３１２のアイコンのものであるか否かを判断する（ステップＳ１４）。
直前の記入情報が示す位置座標はＤＯＬ３１２のアイコンのものではない判断された場合（ステップＳ１４：ＮＯ）、表示処理は終了になる。
これに対して、直前の記入情報が示す位置座標はＤＯＬ３１２のアイコンのものであると判断された場合（ステップＳ１４：ＹＥＳ）、アイコン処理手段３５３は、当該アイコンを認識して（ステップＳ１５）、ディスプレイ３１１のアイコン表示領域３１１２に、当該アイコンを移動して表示させる（ステップＳ１６）。即ち、アイコン表示領域３１１２内のアイコンの表示位置が、直前の記入情報が示す位置座標（第２の座標変換後の位置座標）から、ステップＳ１の処理で受信された記入情報が示す位置座標（第２の座標変換後の位置座標）まで移動することで、当該アイコンのドラッグが実現される。この場合の処理における結果の具体例は、図９に示されている。
ステップＳ１６の処理が終了すると、表示処理は終了となる。
【００６２】
表示処理により所望のアイコンをアイコン表示領域３１１２に表示させた後は、コンピュータ装置３を、アイコン表示領域３１１２に表示させたアイコンを実行できるモードにする。それにより、電子ペン１で、アイコン表示領域３１１２に表示されたアイコンをタップすることによって、コンピュータ装置３のアイコン指示処理実行手段３５４は、当該アイコンにより指示される処理を実行する。
【００６３】
具体的には、ユーザが電子ペン１でアイコン表示領域３１１２に表示されたアイコンをタップすると、電子ペン１は、ＤＯＬ３１２のタップ位置におけるドットパターンを読み取って記入情報を生成し、記入情報をコンピュータ装置３へ送信する。
コンピュータ装置３では、受信手段３４が記入情報を受信すると、座標変換手段３５１は、記入情報に含まれる位置座標をディスプレイ座標系の位置座標に変換する。アイコン指示処理実行手段３５４は、変換された位置座標から特定のアイコンが指示されたことを認識すると、当該アイコンにより指示される処理を実行する。
このようにして、ユーザは、電子ペン１で、アイコン表示領域３１１２に表示されたアイコンをタップすることによって、コンピュータ装置３に、アイコンにより指示される処理を実行させることができる。
【００６４】
［第１実施形態による作用効果］
以上説明した第１実施形態によれば、アイコン生成システム１０におけるコンピュータ装置３は、図１に示すように、表示手段３１とアイコン処理手段３５３とを有している。
表示手段３１においては、画像を表示するディスプレイ３１１と、ドットパターン（コード化パターン）が印刷されたシートであるＤＯＬ３１２とが積層されている。
アイコン処理手段３５３は、１以上のアイコン及びドットパターン（コード化パターン）が印刷された書き込み媒体としてのドットパターン用紙２のうち、所定のアイコンに電子ペン１が接触されると、所定のアイコンを認識する。その後、アイコン処理手段３５３は、ＤＯＬ３１２に電子ペン１が接触されると、所定のアイコンと同一機能を有するアイコンを生成してディスプレイ３１１に表示させる。
これにより、電子ペン１を用いた簡便な操作で、ドットパターン用紙２に印刷されたアイコンと同一機能を有するアイコンを、コンピュータ装置３側で生成及び表示させることが可能になる。
【００６５】
［第１実施形態の変形例１］
上記第１実施形態では、表示処理により所望のアイコンをアイコン表示領域３１１２に表示させた後に、コンピュータ装置３を、アイコン表示領域３１１２に表示させたアイコンを実行できるモードにすることで、アイコン表示領域３１１２に表示させたアイコンを指示、実行できるようにした。その代わりに、モードを変えなくとも表示処理において、アイコン表示領域３１１２に表示されたアイコンを指示、実行できるようにしてもよい。
【００６６】
この場合、図１０に示すステップＳ９において、処理手段３５が、位置座標はアイコン表示領域３１１２内のものであると判断した場合に、その指示された位置にアイコンを表示しているか否かを判断する。そして、処理手段３５が、指示された位置にアイコンが表示されていると判断した場合に、さらに、記入情報の時間情報に基づき、アイコンが指示されている時間を求め、所定時間以上アイコンが指示されている場合は、アイコンはドラッグされているものと判断し、アイコン処理手段３５３は、位置情報に基づいて、アイコンを移動させて、処理を終了させる。一方、処理手段３５は、アイコンが指示されている時間が所定時間未満である場合は、アイコンはタップされているものと判断し、アイコン指示処理実行手段３５４は、アイコンが指示する処理を実行して、処理を終了する。
処理手段３５が、ステップＳ９において、位置座標はアイコン表示領域３１１２内のものであると判断した場合に、その指示された位置にアイコンを表示していないと判断した場合には、ステップＳ１１に進む処理をするとよい。
【００６７】
［第１実施形態の変形例２］
上記第１実施形態では、コンピュータ装置３は、ドットパターン用紙２に印刷された複数のアイコンの各々に対する電子ペン１のそれぞれのタップに応じて、当該複数のアイコンの各々と同一機能を有するアイコンの１つ１つを生成して、ディスプレイ３１１に表示させることができる。ただし、ユーザにとっては、ドットパターン用紙２に印刷されたアイコンの個数分だけ、電子ペン１でのタップの操作を繰り返さなければならず、煩雑で手間がかかる。
そこで、このような煩雑で手間のかかるタップの繰り返し操作を無くすために、コンピュータ装置３は、ドットパターン用紙２に印刷された複数のアイコン群を一括生成して、ディスプレイ３１１に表示させるようにしてもよい。
【００６８】
図１１及び図１２は、コンピュータ装置３が、複数のアイコン群を一括生成してディスプレイ３１１に表示させるまでの処理を具体的に説明する図である。
このような処理を実現するためには、図１１に示すように、ドットパターン用紙２のアイコン領域２２に、複数のアイコン群に加えて、当該複数のアイコン群を一括生成する指示機能が割り当てられた全アイコン生成ボタン２２ａがさらに印刷される。
ユーザは、図１１に示すように、ドットパターン用紙２の全アイコン生成ボタン２２ａを電子ペン１でタップした後さらに、ディスプレイ３１１のアイコン表示領域３１１２における任意の位置（より正確には、ＤＯＬ３１２内の対応位置）を電子ペン１でタップする。すると、図１２に示すように、アイコン領域２２内の複数のアイコン群と同一機能を有する複数のアイコン群５２が生成されてアイコン表示領域３１１２に表示される。
【００６９】
具体的には、全アイコン生成ボタン２２ａがタップされたことにより、電子ペン１からコンピュータ装置３に記入情報が送信されると、図１０の表示処理が開始される。
処理手段３５は、電子ペン１から送信された当該記入情報を、受信手段３４に受信させて、記憶手段３３に記憶させる（ステップＳ１）。
次に、処理手段３５は、ステップＳ１の処理で受信された記入情報が示す位置座標は、ドットパターン用紙２のものであると判断し（ステップＳ２：用紙）、さらに、アイコン領域２２のものであると判断して（ステップＳ３：アイコン領域）、全アイコン生成ボタン２２ａをアイコンの１つとして認識する（ステップＳ６）。
アイコン指示処理実行手段３５４は、ステップＳ６の処理で認識されたアイコンが指示する処理を実行する（ステップＳ７）。ここで、アイコンが指示する処理とは、本来、アイコン領域２２内の複数のアイコン群と同一機能を有する複数のアイコン群５２を生成する処理である。従って、複数のアイコン群５２は、ステップＳ７の段階で、アイコン指示処理実行手段３５４によって生成されてもよい。ただし、ここでは説明の便宜上、複数のアイコン群５２は後述のステップＳ１３の処理で生成されるものとして、当該複数のアイコン群５２を生成するための各種準備（前処理）が、アイコンが指示する処理としてアイコン指示処理実行手段３５４により実行されるものとする。
このようなステップＳ７の処理が終了すると、表示処理は終了になる。
【００７０】
次に、ユーザが、ディスプレイ３１１のアイコン表示領域３１１２内における任意の位置（より正確には、ＤＯＬ３１２の対応位置）を電子ペン１でタップすると、再度表示処理が開始される。
処理手段３５は、電子ペン１から送信された当該記入情報を、受信手段３４に受信させて、記憶手段３３に記憶させ（ステップＳ１）、当該記入情報が示す位置座標は、ＤＯＬ３１２のものであると判断して（ステップＳ２：ＤＯＬ）、処理をステップＳ８に進める。
【００７１】
座標変換手段３５１は、電子ペン１でタップされたＤＯＬ３１２の位置座標（ステップＳ１の処理で受信された記入情報より特定される位置座標）について、第２の座標変換を行う（ステップＳ８）。これにより、ＤＯＬ３１２の位置座標は、ディスプレイ３１１の座標系における位置座標に変換される。
次に、処理手段３５は、ステップＳ１の処理で受信された記入情報が示す位置座標（第２の座標変換後の位置座標）は、ディスプレイ３１１のアイコン表示領域３１１２のものであり（ステップＳ９：アイコン）、直前の記入情報が示す位置座標はドットパターン用紙２のアイコンのものであると判断して（ステップＳ１１：ＹＥＳ）、処理をステップＳ１２に進める。
アイコン処理手段３５３は、未だ同じアイコンを生成表示していないと判断して（ステップＳ１２：ＮＯ）、複数のアイコン群５２を生成して、図１２に示すようにディスプレイ３１１のアイコン表示領域３１１２に表示させる（ステップＳ１３）。これにより、表示処理は終了となる。
【００７２】
このように、第１実施形態の変形例によれは、ドットパターン用紙２には、１以上のアイコン全体の一括生成を指示する全アイコン生成ボタン２２ａが印刷されている。
アイコン処理手段３５３は、全アイコン生成ボタン２２ａに対して電子ペン１によりタップされると、全アイコン生成ボタン２２ａを認識し、その後、ＤＯＬ３１２に対して電子ペン１によりタップされると、１以上のアイコンと同一機能を有する１以上のアイコンの各々を一括生成してディスプレイ３１１に表示させる。
従って、ユーザにとっては、１以上のアイコンの各々を選択するといった煩雑な操作をしなくとも、１つの全アイコン生成ボタン２２ａのみを選択するといった簡便の操作をするだけで、１以上のアイコンと同一機能を有する１以上のアイコンの各々を、コンピュータ装置３側で生成及び表示させることが可能になる。
【００７３】
表示処理により全アイコンをアイコン表示領域３１１２に表示させた後は、コンピュータ装置３を、アイコン表示領域３１１２に表示させたアイコンを実行できるモードにする。それにより、電子ペン１で、アイコン表示領域３１１２に表示されたアイコンをタップすることによって、コンピュータ装置３のアイコン指示処理実行手段３５４は、当該アイコンにより指示される処理を実行する。
【００７４】
以上説明したように、本考案のアイコン生成システムの第１実施形態では、ディスプレイ３１１に対する接触又は近接の操作として、ディスプレイ３１１に積層されたＤＯＬ３１２に対して電子ペン１を接触させる操作が採用された。
しかしながら、ディスプレイ３１１に対する接触又は近接の操作は、特に第１実施形態の電子ペン１を用いた操作に限定されず、任意の操作でよい。
そこで、以下、ディスプレイ３１１に対する接触又は近接の操作として、第１実施形態と同様の電子ペン１を用いた操作に加えてさらに、タッチパネルに対する指等の物体の接触又は近接の操作が可能になる実施形態を、第２実施形態として説明する。
なお、第２実施形態に係る図１３以降の図面においては、第１実施形態と同様のものについては、同一の符号を付してある。このため、同一の符号を付しているものの説明は適宜省略する。
【００７５】
〔第２実施形態のアイコン生成システムの構成〕
図１３は、本考案の第２実施形態に係るアイコン生成システム１１の構成を示す。図１３に示すように、第２実施形態に係るアイコン生成システム１１は、第１実施形態と同様に、電子ペン１と、ドットパターン用紙２（コード化パターン用紙２）と、コンピュータ装置３とを有する。
【００７６】
電子ペン１とドットパターン用紙２は、第１実施形態と同様のものであるが、コンピュータ装置３については、その構成の点で第１実施形態と差異点がある。そこで、以下、第２実施形態のコンピュータ装置３の構成のうち、第１実施形態との差異点についてのみ説明する。
【００７７】
第２実施形態に係るコンピュータ装置３においては、図１３や図１４に示すように、表示手段３１を構成するディスプレイ３１１とＤＯＬ３１２との間に、入力手段３２の一構成要素であるタッチパネル３２１が配置される。
【００７８】
図１４は、第２実施形態のコンピュータ装置３における表示手段３１及びタッチパネル３２１の横断面を示す図である。
図１４に示すように、第２実施形態のコンピュータ装置３においては、表示手段３１のディスプレイ３１１、入力手段３２のタッチパネル３２１、及び表示手段３１のＤＯＬ３１２が、下方から順に積層されている。なお、ＤＯＬ３１２の構成は、第１実施形態に係る図２の構成と同様であるので、ここではその説明は省略する。
タッチパネル３２１は、細長い静電容量センサが縦横に配置されて構成される静電容量式タッチパネルである。タッチパネル３２１は、解像度の点ではＤＯＬ３１２に劣るが、電子ペン１を用いずに、指ｆ等の物体の接触又は近接の操作（以下、「タッチ操作」と呼ぶ）ができる点で利便性が高い。即ち、第２実施形態では、ＤＯＬ３１２とタッチパネル３２１とを組み合わせて用いることにより、利便性のさらなる向上を図っている。
【００７９】
図１３に戻り、第２実施形態のコンピュータ装置３の処理手段３５は、主に、第１実施形態と同様に、ストローク描画手段３５２、アイコン処理手段３５３、及びアイコン指示処理実行手段３５４を含み、さらに、第１座標変換手段３５５及び第２座標変換手段３５６を含むように構成される。
【００８０】
第１座標変換手段３５５は、第１実施形態の座標変換手段３５１と同様に、電子ペン１から送信されて受信手段３４に受信された記入情報により特定される位置座標、即ち、ドットパターンが印刷されたドットパターン用紙２又はＤＯＬ３１２の位置座標を、ディスプレイ３１１の座標系における位置座標に変換する。
第２座標変換手段３５６は、タッチパネル３２１に対するタッチ操作がなされた位置座標、即ち、タッチパネル３２１の座標系における位置座標を、ディスプレイ３１１の座標系における位置座標に変換する。
【００８１】
以下、図１５及び図１６の具体例を適宜参照しつつ、処理手段３５についてさらに詳しく説明する。図１５及び図１６の各々は、コンピュータ装置３の処理手段３５の各種処理結果の具体例をそれぞれ示す図である。
【００８２】
図１５の状態になる前に先ず、ユーザは、第１実施形態と同様に、図７（Ａ）に示すように、ドットパターン用紙２のアイコン領域２２内における所望のアイコンを、電子ペン１でタップすることにより、当該アイコンを選択することができる。
この場合、図１３のアイコン処理手段３５３は、アイコンがタップされた際に電子ペン１から送信されて受信手段３４に受信された記入情報に基づいて、当該アイコンを認識する。アイコン指示処理実行手段３５４は、アイコン処理手段３５３により認識されたアイコンが指示する処理、図７の例ではディスプレイ３１１の表示内容を拡大表示する処理を実行する。
【００８３】
ユーザは、ドットパターン用紙２に対して電子ペン１でタップしたアイコンをコンピュータ装置３側でも生成して表示させたい場合、第１実施形態と同様に、ディスプレイ３１１上のＤＯＬ３１２に対して電子ペン１でタップすることができる。この場合、図８を用いて上述した処理が実行されて、ドットパターン用紙２上の電子ペン１でタップされたアイコンと同一機能のアイコン５１が生成されて、ディスプレイ３１１に表示される。
さらに、第２実施形態では、ユーザは、図１５に示すように、自身の指ｆ等を用いてタッチパネル３２１に対するタッチ操作を行うこともできる。
この場合、処理手段３５は、タッチパネル３２１に対するタッチ操作がなされたことを認識して、当該タッチ操作の位置座標、即ちタッチパネル３２１の座標系における位置座標を取得する。
次に、処理手段３５の第２座標変換手段３５６は、タッチパネル３２１の座標系における位置座標を、ディスプレイ３１１の座標系における位置座標に変換する。
アイコン処理手段３５３は、第２座標変換手段３５６によりディスプレイ３１１の座標系に変換された位置座標がアイコン表示領域３１１２に属することを確認すると、先に認識したアイコンと同一機能を有するアイコン、図１５の例では「拡大（＋）」の機能を有するアイコン５１を生成して、ディスプレイ３１１のアイコン表示領域３１１２内に表示させる。
この場合、アイコン５１の表示位置は、アイコン表示領域３１１２内であれば足りるが、図１５に示すように、指ｆ等がタッチ操作されたタッチパネル３２１の位置に対応するディスプレイ３１１の位置座標であると好適である。ユーザにとっては、タッチ操作の位置にあたかもアイコン５１が表れたように映るからである。
【００８４】
さらに、ディスプレイ３１１のアイコン表示領域３１１２内にアイコン５１が表示された後に、ユーザは、図１６に示すように、自身の指ｆ等でアイコン５１をドラッグすることで、当該アイコン５１をアイコン表示領域３１１２内で自在に移動させることができる。
具体的には、処理手段３５は、ドラッグされている最中に逐次供給される各位置座標は、タッチパネル３２１へのタッチ操作によるものであると認識する。
次に、処理手段３５の第２座標変換手段３５６は、タッチパネル３２１の座標系における各位置座標を、ディスプレイ３１１の座標系における各位置座標に変換する。
アイコン処理手段３５３は、第２座標変換手段３５６によりディスプレイ３１１の座標系に変換された各位置座標がアイコン表示領域３１１２に属することを確認すると、先に表示したアイコン、図１６の例では「拡大（＋）」の機能を有するアイコン５１を、ディスプレイ３１１のアイコン表示領域３１１２内で移動させるように表示内容を更新していく。
【００８５】
［第２実施形態の表示処理フロー］
次に、このような第２実施形態に係る図１３におけるコンピュータ装置３の表示処理の流れの詳細について図１７及び図１８を参照して説明する。
【００８６】
第２実施形態の表示処理では、第１実施形態の表示処理と同様に、電子ペン１から記入情報が送信されると、表示処理が開始される。
この場合、処理手段３５は、電子ペン１から送信された記入情報を受信したと判断し（ステップＳ１０１：記入情報を受信）、当該記入情報を記憶手段３３に記憶させると、処理をステップＳ１０２に進める。
なお、第２実施形態に係る図１７のステップＳ１０２乃至Ｓ１１６の各処理及びその流れは、第１実施形態に係る図１０のステップＳ２乃至Ｓ１６の各処理及びその流れと基本的に同様であるので、ここではその説明は省略する。
【００８７】
第２実施形態の表示処理ではさらに、タッチパネル３２１に対するタッチ操作がなされた場合にも、表示処理が開始される。
この場合、処理手段３５は、タッチ操作が検出されたと判断し（ステップＳ１０１：タッチ操作検知）、処理を図１８のステップＳ２０８に進める。
【００８８】
第２座標変換手段３５６は、ステップＳ１０１の処理で検知されたタッチ操作の位置座標を、ディスプレイ３１１の座標系における位置座標に変換する（ステップＳ２０８）。ここで、ステップＳ１０１の処理で検知されたタッチ操作の位置座標は、タッチパネル３２１の座標系における位置座標である。従って、ステップＳ２０８において実行される座標変換は、図１７のステップＳ１０４（図１０のステップＳ４）の第１の座標変換や図１７のステップＳ１０８（図１０のステップＳ８）の第２の座標変換とは異なり、タッチパネル３２１の座標系からディスプレイ３１１の座標系への座標変換であり、以下、図１８の記載にあわせ、「第３の座標変換」と呼ぶ。
【００８９】
次に、処理手段３５は、ステップＳ１０１の処理で検知されたタッチ操作の位置座標（ステップＳ２０８の第３の座標変換がなされた後の位置座標）は、ディスプレイ３１１のうち、記入表示領域３１１１であるのか、或いはアイコン表示領域３１１２であるのかを判断する（ステップＳ２０９）。
【００９０】
ステップＳ１０１の処理で検知されたタッチ操作の位置座標（ステップＳ２０８の第３の座標変換がなされた後の位置座標）は、ディスプレイ３１１の記入表示領域３１１１のものであると判断された場合（ステップＳ２０９：記入）には、処理はステップＳ２１０に進む。
ストローク描画手段３５２は、ステップＳ２０８における第３の座標変換後の位置座標に基づいてストロークを描画して、当該ストロークをディスプレイ３１１に表示させる（ステップＳ２１０）。これにより、表示処理は終了になる。
【００９１】
これに対して、ステップＳ１０１の処理で検知されたタッチ操作の位置座標（ステップＳ２０８の第３の座標変換がなされた後の位置座標）は、ディスプレイ３１１のアイコン表示領域３１１２のものであると判断された場合（ステップＳ２０９：アイコン）には、処理はステップＳ２１１に進む。
処理手段３５は、直前の記入情報（直前のストロークの記入情報）が示す位置座標は、ドットパターン用紙２のアイコンのものであるか否かを判断する（ステップＳ２１１）。
【００９２】
直前の記入情報が示す位置座標はドットパターン用紙２のアイコンのものであると判断された場合（ステップＳ２１１：ＹＥＳ）、アイコン処理手段３５３は、既に同じアイコンを生成表示したか否かを判断する（ステップＳ２１２）。
アイコン処理手段３５３が既に同じアイコンを生成表示したと判断した場合（ステップＳ２１２：ＹＥＳ）、表示処理は終了になる。
これに対して、アイコン処理手段３５３は、未だ同じアイコンを生成表示していないと判断した場合（ステップＳ２１２：ＮＯ）、当該アイコンを生成して、ディスプレイ３１１のアイコン表示領域３１１２に表示させる（ステップＳ２１３）。この場合の処理結果の具体例は、図１５に示されている。このように、アイコン処理手段３５３は、アイコン表示領域３１１２内の指ｆで指示された位置に、アイコンを表示させるようにするとよい。さらには、指ｆが、アイコン表示領域３１１２内で続けてドラッグ状態である場合には、アイコン処理手段３５３は、アイコンをドラッグに合わせて移動させるようにするとよい。その後、表示処理は終了となる。
【００９３】
一方で、処理手段３５は、直前の記入情報が示す位置座標はドットパターン用紙２のアイコンのものではないと判断した場合（ステップＳ２１１：ＮＯ）、処理をステップ２１４に進める。ここで、前回の表示処理において、タッチ操作が検出されたと判断された（ステップＳ１０１：タッチ操作検知）後の一連の処理が実行された場合、即ち、タッチパネル３２１に対するタッチ操作が継続されている場合にも、ステップＳ２１１においてＮＯであると判断されて、処理はステップＳ２１４に進む。
【００９４】
処理手段３５は、直前のタッチ操作の位置座標（第３の座標変換後の位置座標）は、アイコン表示領域３１１２のアイコン（その表示位置）であるか否かを判断する（ステップＳ２１４）。
直前のタッチ操作の位置座標（第３の座標変換後の位置座標）は、アイコン表示領域３１１２のアイコン（その表示位置）ではないと判断された場合（ステップＳ２１４：ＮＯ）、表示処理は終了になる。
これに対して、直前のタッチ操作の位置座標（第３の座標変換後の位置座標）は、アイコン表示領域３１１２のアイコン（その表示位置）であると判断された場合（ステップＳ２１４：ＹＥＳ）、アイコン処理手段３５３は、当該アイコンを認識して（ステップＳ２１５）、ディスプレイ３１１のアイコン表示領域３１１２に、当該アイコンを移動して表示させる（ステップＳ２１６）。即ち、アイコン表示領域３１１２内のアイコンの表示位置が、直前のタッチ操作がなされた位置座標（第３の座標変換後の位置座標）から、ステップＳ１０１の処理で検知されたタッチ操作の位置座標（第３の座標変換後の位置座標）まで移動することで、当該アイコンのドラッグが実現される。この場合の処理結果の具体例は、図１６に示されている。これにより、表示処理は終了となる。
【００９５】
表示処理により所望のアイコンをアイコン表示領域３１１２に表示させた後は、コンピュータ装置３を、アイコン表示領域３１１２に表示させたアイコンを実行できるモードにする。それにより、指ｆで、アイコン表示領域３１１２に表示されたアイコンをタッチ操作することによって、コンピュータ装置３のアイコン指示処理実行手段３５４は、当該アイコンにより指示される処理を実行する。
【００９６】
具体的には、ユーザが指ｆでアイコン表示領域３１１２に表示されたアイコンをタッチ操作すると、タッチパネル３２１により検出された位置座標を第２座標変換手段３５６によりディスプレイ３１１の座標系の位置座標に変換し、アイコン指示処理実行手段３５４は、変換された位置座標から特定のアイコンが指示されたことを認識すると、当該アイコンにより指示される処理を実行する。
このようにして、ユーザは、指ｆで、アイコン表示領域３１１２に表示されたアイコンをタッチ操作することによって、コンピュータ装置３に、アイコンにより指示される処理を実行させることができる。
【００９７】
［第２実施形態による作用効果］
以上説明したように第２実施形態によれば、アイコン生成システム１１におけるコンピュータ装置３は、図１３に示すように、表示手段３１と、アイコン処理手段３５３とを有している。
表示手段３１においては、画像を表示するディスプレイ３１１と、タッチパネル３２１と、ドットパターン（コード化パターン）が印刷されたシートであるＤＯＬ３１２とが積層されている。
アイコン処理手段３５３は、１以上のアイコン及びドットパターン（コード化パターン）が印刷された書き込み媒体としてのドットパターン用紙２のうち、所定アイコンに電子ペン１が接触されると、所定のアイコンを認識する。その後、アイコン処理手段３５３は、ＤＯＬ３１２に電子ペン１が接触されると、所定アイコンと同一機能を有するアイコンを生成してディスプレイ３１１に表示させる。
これにより、第１実施形態と同様に、電子ペン１を用いた簡便な操作で、ドットパターン用紙２に印刷されたアイコンと同一機能を有するアイコンを、コンピュータ装置３側で生成及び表示させることが可能になる。
【００９８】
さらに、第２実施形態に係るコンピュータ装置３においては、表示手段３１のディスプレイ３１１には、タッチパネル３２１がさらに積層されている。
アイコン処理手段３５３は、ドットパターン用紙２に印刷された複数のアイコンのうち、電子ペン１に接触された所定のアイコンを認識した後、タッチパネル３２１に指ｆ等の物体が接触又は近接されると（タッチ操作がなされると）、さらに、所定のアイコンと同一機能を有するアイコンを生成してディスプレイ３１１に表示させる。
これにより、ユーザにとっては、コンピュータ装置３のディスプレイ３１１に対する操作をするために、電子ペン１とそれ以外の物体（例えば自分の指ｆ等）とを選択的かつ自在に用いることができるようになるので、ドットパターン用紙２に印刷されたアイコンと同一機能を有するアイコンを、コンピュータ装置３側で生成及び表示させることが可能になる。
【００９９】
［第２実施形態の変形例１］
上記第２実施形態において、モードを変えなくとも表示処理において、アイコン表示領域３１１２に表示されたアイコンを電子ペン１で指示することで、アイコンに指示された処理を実行できるようにしてもよい。その場合、第１実施形態の変形例１と同様の処理を行うとよい。
【０１００】
［第２実施形態の変形例２］
同様に、モードを変えなくとも表示処理において、アイコン表示領域３１１２に表示されたアイコンを指ｆで指示することで、アイコンに指示された処理を実行できるようにしてもよい。
【０１０１】
この場合、図１８に示すステップＳ２０９において、処理手段３５が、タッチ操作された位置座標はアイコン表示領域３１１２内のものであると判断した場合に、その指示されたディスプレイ座標系上の位置にアイコンを表示しているか否かを判断する。そして、処理手段３５が、指示された位置にアイコンが表示されていると判断した場合に、さらに、タッチ操作されている時間を求め、所定時間以上アイコンが指示されている場合は、アイコンはドラッグされているものと判断し、アイコン処理手段３５３は、その位置情報に基づいて、アイコンを移動させて、処理を終了させる。一方、処理手段３５は、アイコンが指示されている時間が所定時間未満である場合は、アイコンは短時間のタッチ操作がされているものと判断し、アイコン指示処理実行手段３５４は、アイコンが指示する処理を実行して、処理を終了する。
処理手段３５が、ステップＳ２０９において、タッチ操作された位置座標はアイコン表示領域３１１２内のものであると判断した場合に、その指示された位置にアイコンを表示していないと判断した場合には、ステップＳ２１１に進む処理をするとよい。
【０１０２】
［第２実施形態の変形例３］
上記第２実施形態に係るコンピュータ装置３は、第１実施形態の変形例２と同様に、ドットパターン用紙２に印刷された複数のアイコン群を一括生成して、ディスプレイ３１１に表示させることもできる。
ユーザは、第１実施形態と同様に、先ず、ドットパターン用紙２の全アイコン生成ボタン２２ａを電子ペン１でタップする（図１１参照）。その後、ユーザは、第１実施形態と同様に、ディスプレイ３１１のアイコン表示領域３１１２に対応するＤＯＬ３１２の領域内における任意の位置を電子ペン１でタップすることができる。この場合、アイコン領域２２内の複数のアイコン群と同一機能を有する複数のアイコン群５２が生成されてアイコン表示領域３１１２に表示される（図１２参照）。
さらに、第２実施形態では、図１９に示すように、ユーザは、ディスプレイ３１１のアイコン表示領域３１１２に対応するタッチパネル３２１の領域内における任意の位置に対して、自己の指ｆ等でタッチ操作をすることができる。この場合も、アイコン領域２２内の複数のアイコン群と同一機能を有する複数のアイコン群５２が生成されてアイコン表示領域３１１２に表示される。
【０１０３】
具体的には、全アイコン生成ボタン２２ａがタップされたことにより、電子ペン１からコンピュータ装置３に記入情報が送信されると、図１７の表示処理が開始される。
処理手段３５は、電子ペン１から送信された当該記入情報を、受信手段３４に受信させて、記憶手段３３に記憶させる（ステップＳ１０１：記入情報を受信）。
次に、処理手段３５は、ステップＳ１０１の処理で受信された記入情報が示す位置座標は、ドットパターン用紙２のものであると判断し（ステップＳ１０２：用紙）、さらに、アイコン領域２２のものであると判断して（ステップＳ１０３：アイコン領域）、全アイコン生成ボタン２２ａをアイコンの１つとして認識する（ステップＳ１０６）。
アイコン指示処理実行手段３５４は、ステップＳ１０６の処理で認識されたアイコンが指示する処理を実行する（ステップＳ１０７）。ここで、アイコンが指示する処理とは、本来、アイコン領域２２内の複数のアイコン群と同一機能を有する複数のアイコン群５２を生成する処理である。従って、複数のアイコン群５２は、ステップＳ１０７の段階で、アイコン指示処理実行手段３５４によって生成されてもよい。ただし、ここでは説明の便宜上、複数のアイコン群５２は後述のステップＳ２１３の処理で生成されるものとして、当該複数のアイコン群５２を生成するための各種準備（前処理）が、アイコンが指示する処理としてアイコン指示処理実行手段３５４により実行されるものとする。
このようなステップＳ１０７の処理が終了すると、表示処理は終了になる。
【０１０４】
次に、ユーザが、ディスプレイ３１１のアイコン表示領域３１１２に対応するタッチパネル３２１の領域内における任意の位置に対して、自己の指ｆ等でタッチ操作をすると、再度表示処理が開始される。
処理手段３５は、当該タッチ操作を検知して（ステップＳ１０１：タッチ操作検知）、処理をステップ図１８のステップＳ２０８に進める。
【０１０５】
第２座標変換手段３５６は、ステップＳ１の処理で検知されたタッチ操作の位置座標について、第３の座標変換をする（ステップＳ２０８）。即ち、タッチパネル３２１の座標系における位置座標は、ディスプレイ３１１の座標系における位置座標に変換される。
次に、処理手段３５は、ステップＳ１０１の処理で検知されたタッチ操作の位置座標（ステップＳ２０８の第３の座標変換がなされた後の位置座標）は、ディスプレイ３１１のアイコン表示領域３１１２のものであると判断して（ステップＳ２０９：アイコン）、処理はステップＳ２１１に進める。さらに、処理手段３５は、直前の記入情報が示す位置座標はドットパターン用紙２のアイコンのものであると判断して（ステップＳ２１１：ＹＥＳ）、処理をステップＳ２１２に進める。
アイコン処理手段３５３は、未だ同じアイコンを生成表示していないと判断して（ステップＳ２１２：ＮＯ）、複数のアイコン群５２を生成して、図１９に示すようにディスプレイ３１１のアイコン表示領域３１１２に表示させる（ステップＳ２１３）。これにより、表示処理は終了となる。
【０１０６】
このように、第２実施形態の本変形例３によれは、ドットパターン用紙２には、１以上のアイコン全体の一括生成を指示する全アイコン生成ボタン２２ａが印刷されている。
アイコン処理手段３５３は、全アイコン生成ボタン２２ａに対して電子ペン１によりタップされると、全アイコン生成ボタン２２ａを認識し、ＤＯＬ３１２に対して電子ペン１によりタップされるか、又はタッチパネル３２１に対してタッチ操作がなされると、１以上のアイコンと同一機能を有する１以上のアイコンの各々を一括生成してディスプレイ３１１に表示させる。
従って、ユーザにとっては、１以上のアイコンの各々を選択するといった煩雑な操作をしなくとも、１つの全アイコン生成ボタン２２ａのみを選択するといった簡便な操作をするだけで、１以上のアイコンと同一機能を有する１以上のアイコンの各々を、コンピュータ装置３側で生成及び表示させることが可能になる。
【０１０７】
表示処理により全アイコンをアイコン表示領域３１１２に表示させた後は、コンピュータ装置３を、アイコン表示領域３１１２に表示させたアイコンを実行できるモードにする。それにより、電子ペン１や指ｆで、アイコン表示領域３１１２に表示されたアイコンをタップないしタッチ操作することによって、コンピュータ装置３のアイコン指示処理実行手段３５４は、当該アイコンにより指示される処理を実行する。
【０１０８】
以上、本考案のアイコン生成システムの実施形態として、第１実施形態及び第２実施形態について説明したが、本考案は、これら２つの実施形態に限られない。
【０１０９】
例えば、本考案のアイコン生成システムが生成するアイコンとして、文章の作成や書式設定等に関する機能が割り当てられたアイコンを例に説明したが、アイコンに割り当てられる機能は特にこれに限定されず、実装に応じて任意の様々な機能を採用することができる。
さらに、本考案のアイコン生成システムのコンピュータ装置が生成して表示するアイコンとしては、コンピュータのＧＵＩ（ｇｒａｐｈｉｃａｌ  ｕｓｅｒ  ｉｎｔｅｒｆａｃｅ）で使用されるアイコンに特に限定されない。例えばコンピュータ装置は、ＧＵＩとしてのアイコンではなく、ゲーム等のキャラクタ、符号、装飾など、ディスプレイに表示可能な限りにおいて、任意の表象をアイコンとして生成することが可能である。
【０１１０】
また、電子ペン１を用いる対象は、ドットパターン用紙２に特に限られず、アノト式のドットパターンが印刷された任意の書き込み媒体であればよい。また、書き込み媒体に印刷されるコード化パターンや記入情報、電子ペンは、アノト方式に限られなくともよい。
【符号の説明】
【０１１１】
１…電子ペン
２…ドットパターン用紙
３…コンピュータ装置
１０，１１…アイコン生成システム
３１…表示手段
３２…入力手段
３３…記憶手段
３４…受信手段
３５…処理手段
３１１…ディスプレイ
３１２…ＤＯＬ
３２１…タッチパネル
３５１…座標変換手段
３５２…ストローク描画手段
３５３…アイコン処理手段
３５４…アイコン指示処理実行手段
３５５…第１座標変換手段
３５６…第２座標変換手段
【図１】
0003169427.tif 000003
【図２】
0003169427.tif 000004
【図３】
0003169427.tif 000005
【図４】
0003169427.tif 000006
【図５】
0003169427.tif 000007
【図６】
0003169427.tif 000008
【図７】
0003169427.tif 000009
【図８】
0003169427.tif 000010
【図９】
0003169427.tif 000011
【図１０】
0003169427.tif 000012
【図１１】
0003169427.tif 000013
【図１２】
0003169427.tif 000014
【図１３】
0003169427.tif 000015
【図１４】
0003169427.tif 000016
【図１５】
0003169427.tif 000017
【図１６】
0003169427.tif 000018
【図１７】
0003169427.tif 000019
【図１８】
0003169427.tif 000020
【図１９】
0003169427.tif 000021